(57)【要約】【課題】  １つのＰＷＭ信号で２種類の可変情報を伝達する電源装置を提供。１ｃｈの汎用タイマで、２種類のパラメータを制御する電源装置を提供。【解決手段】  第１指示値を表わすデューティおよび第２指示値を表わす周波数のＰＷＭ信号を生成する指示手段２；および、前記ＰＷＭ信号のデューティに対応するレベルの第１電気信号を発生する第１のＰＷＭ信号変換手段５，前記ＰＷＭ信号の周波数に対応する周波数の第２電気信号を発生する第２のＰＷＭ信号変換手段７、および、第１電気信号および第２電気信号によって制御される電力出力手段６，１０／１０、を含む電気回路４；を備える電源装置。電力出力手段は、ＤＣ／ＤＣコンバータ６および又は交流昇圧回路１０である。【選択図】  図３
2006252386.tif 000002
【特許請求の範囲】
【請求項１】
第１指示値を表わすデューティおよび第２指示値を表わす周波数のＰＷＭ信号を生成する指示手段；および、
前記ＰＷＭ信号のデューティに対応するレベルの第１電気信号を発生する第１のＰＷＭ信号変換手段，前記ＰＷＭ信号の周波数に対応する周波数の第２電気信号を発生する第２のＰＷＭ信号変換手段、および、第１電気信号および第２電気信号によって制御される電力出力手段、を含む電気回路；
を備える電源装置。
【請求項２】
前記電力出力手段は、第１電気信号によって制御される第１電力出力手段、および、第２電気信号によって制御される第２電力出力手段を含む：請求項１に記載の電源装置。
【請求項３】
電気回路は更に、第１および第２電力出力手段の出力を合成出力する手段を含む；請求項２に記載の電源装置。
【請求項４】
第１電力出力手段はＤＣ／ＤＣコンバータ、第２電力出力手段は交流昇圧回路である；請求項２又は３に記載の電源装置
【請求項５】
電気回路は更に、第１電力出力手段の出力電圧を検出する電圧検出手段、および、第１電気信号を目標値とし前記電圧検出手段が検出した出力電圧をフィードバック値として第１電力出力手段の出力電圧をフィードバック制御する第１駆動手段、を含む；請求項２乃至４のいずれか１つに記載の電源装置。
【請求項６】
電気回路は更に、第１電力出力手段の出力電流を検出する電流検出手段、および、第１電気信号を目標値とし前記電流検出手段が検出した出力電流をフィードバック値として第１電力出力手段の出力電流をフィードバック制御する第２駆動手段、を含む；請求項２乃至４のいずれか１つに記載の電源装置。
【請求項７】
電気回路は更に、第２電力出力手段の出力周波数を検出する周波数検出手段、および、第２電気信号を目標値とし前記周波数検出手段が検出した出力周波数をフィードバック値として第２電力出力手段の出力周波数をフィードバック制御する第３駆動手段、を含む；請求項２乃至６のいずれか１つに記載の電源装置。
【請求項８】
電気回路は更に、電力出力手段の出力電圧を検出する電圧検出手段，出力周波数を検出する周波数検出手段、および、第１電気信号を目標値とし前記電圧検出手段が検出した出力電圧をフィードバック値として電力出力手段の出力電圧をフィードバック制御するとともに、第２電気信号を目標値とし前記周波数検出手段が検出した出力周波数をフィードバック値として電力出力手段の出力周波数をフィードバック制御する、駆動手段、を含む；請求項１に記載の電源装置。
【請求項９】
前記電力出力手段の出力電圧を、定着装置の誘導加熱コイルに出力する；請求項８に記載の電源装置。
【請求項１０】
電気回路は更に、電力出力手段の出力電流を検出する電流検出手段，出力周波数を検出する周波数検出手段、および、第１電気信号を目標値とし前記電流検出手段が検出した出力電流をフィードバック値として電力出力手段の出力電流をフィードバック制御するとともに、第２電気信号を目標値とし前記周波数検出手段が検出した出力周波数をフィードバック値として電力出力手段の出力周波数をフィードバック制御する、駆動手段、を含む；請求項１に記載の電源装置。
【請求項１１】
前記指示手段は、ＰＷＭタイマ、および、第１指示値を表わすデューティおよび第２指示値を表わす周波数のＰＷＭ信号の高レベル出力時間および低レベル出力時間を算出し、該高レベル出力時間および低レベル出力時間を前記ＰＷＭタイマに交互に設定する手段、を含む；請求項１乃至１０のいずれか１つに記載の電源装置。
【請求項１２】
請求項１乃至８および１０のいずれか１つに記載の電源装置；および、該電源装置の出力が印加される帯電器；を備える画像形成装置。
【発明の詳細な説明】
【技術分野】
【０００１】
本発明は電源装置に関し、特に、出力電力の２つのパラメータを制御できる電源装置に関する。本発明は例えば、電子写真方式の画像形成装置の帯電器や定着器の駆動に用いることができるが、これらの用途に限られるものではない。
【背景技術】
【０００２】
【特許文献１】特開平９−２１８５６７
【特許文献２】特開２００４−０５３９０８。
【０００３】
電子写真方式の画像形成装置においては、感光体の画像プロセスに関連する現像バイアス、帯電電位、転写電流等の出力値は、温度、湿度、紙厚などの条件によって、画像が最適となるようにおのおのの条件で可変されて使用される。その場合、マイコンを搭載している制御基板から高圧電源に出力信号を制御する信号を出して制御している。高圧出力がオンとオフのみの制御であれば、信号は１本のみで制御可能であり、マイコンは汎用出力ポートを利用することで実現可能である。高圧出力がオン（Ｈ）、オン（Ｌ）、オフのように出力を変化させて利用する場合は、２値変化であればオン／オフ切り替え信号線とＨ／Ｌ切り替え信号線の２本で実現可能である。
【０００４】
高圧出力をさらに細かく可変制御する場合は、信号にＰＷＭ(Pulse Width Modulation)信号を用いて、パルスDuty（デューティ）を可変することで情報を伝達して出力を可変制御する方式が知られている（特許文献１，２）。ＰＷＭ信号の生成には、マイコンの汎用タイマを利用する場合、１ｃｈ(１チャンネル)のＰＷＭ信号を生成するのに汎用タイマを１ｃｈ使用することになる。
【発明の開示】
【発明が解決しようとする課題】
【０００５】
しかしながら、近年の電子写真のカラータンデム化にともない、感光体の本数が従来のモノクロ機が１本なのに対してカラータンデム機では４本となり、画像プロセスに関連する高圧出力の数もモノクロよりも４倍近くとなっているので、ひとつの可変制御対象に対して１ｃｈの汎用タイマを使用する場合、可変制御対象の数に対して、マイコンのタイマの数が不足するという不具合が発生している。
【０００６】
本発明は上記不具合を解消するために、１つのＰＷＭ信号で２種類の可変情報を伝達する電源装置を提供することを第１の目的とする。１ｃｈの汎用タイマを利用して生成した１つのＰＷＭ信号で、２種類のパラメータを制御する電源装置を提供することを第２の目的とする。
【課題を解決するための手段】
【０００７】
（１）第１指示値を表わすデューティおよび第２指示値を表わす周波数のＰＷＭ信号を生成する指示手段(2)；および、
前記ＰＷＭ信号のデューティに対応するレベルの第１電気信号を発生する第１のＰＷＭ信号変換手段(5)，前記ＰＷＭ信号の周波数に対応する周波数の第２電気信号を発生する第２のＰＷＭ信号変換手段(7)、および、第１電気信号および第２電気信号によって制御される電力出力手段(6,10/10)、を含む電気回路(4)；
を備える電源装置。
【０００８】
なお、理解を容易にするために括弧内には、図面に示し後述する実施例の対応要素又は対応事項の記号を、例示として参考までに付記した。
【発明の効果】
【０００９】
１つのＰＷＭ信号で２種類の情報を伝達することにより、タイマ数を削減することを可能となる。例えば、１つのＰＷＭ信号を用いて高圧電源の直流電圧又は直流電流と交流周波数を制御する。あるいは、１つのＰＷＭ信号を用いて高圧電源の交流電圧又は直流電流と交流周波数を制御する。
【発明を実施するための最良の形態】
【００１０】
（２）前記電力出力手段(6,10/10)は、第１電気信号によって制御される第１電力出力手段(6)、および、第２電気信号によって制御される第２電力出力手段(10)を含む：上記（１）に記載の電源装置(図２)。
【００１１】
（３）電気回路(4)は更に、第１および第２電力出力手段の出力を合成出力する手段(D1,D2)を含む；上記（２）に記載の電源装置(図２)。
【００１２】
（４）第１電力出力手段(6)はＤＣ／ＤＣコンバータ、第２電力出力手段(10)は交流昇圧回路である；上記（２）又は（３）に記載の電源装置(図２)。
【００１３】
（５）電気回路(4)は更に、第１電力出力手段(6)の出力電圧を検出する電圧検出手段(12)、および、第１電気信号を目標値とし前記電圧検出手段(12)が検出した出力電圧をフィードバック値として第１電力出力手段(6)の出力電圧をフィードバック制御する第１駆動手段(11ａ)、を含む；上記（２）乃至（４）のいずれか１つに記載の電源装置（図４）。
【００１４】
（６）電気回路(4)は更に、第１電力出力手段(6)の出力電流を検出する電流検出手段(15)、および、第１電気信号を目標値とし前記電流検出手段(15)が検出した出力電流をフィードバック値として第１電力出力手段(6)の出力電流をフィードバック制御する第２駆動手段(11ｂ)、を含む；上記（２）乃至（４）のいずれか１つに記載の電源装置（図５）。
【００１５】
（７）電気回路(4)は更に、第２電力出力手段(10)の出力周波数を検出する周波数検出手段(14)、および、第２電気信号を目標値とし前記周波数検出手段(14)が検出した出力周波数をフィードバック値として第２電力出力手段(10)の出力周波数をフィードバック制御する第３駆動手段(13ａ)、を含む；上記（２）乃至（６）のいずれか１つに記載の電源装置（図４，図５）。
【００１６】
（８）電気回路(4)は更に、電力出力手段(10)の出力電圧を検出する電圧検出手段(12)，出力周波数を検出する周波数検出手段(14)、および、第１電気信号を目標値とし前記電圧検出手段(12)が検出した出力電圧をフィードバック値として電力出力手段(10)の出力電圧をフィードバック制御するとともに、第２電気信号を目標値とし前記周波数検出手段(14)が検出した出力周波数をフィードバック値として電力出力手段(10)の出力周波数をフィードバック制御する、駆動手段(13)、を含む；上記（１）に記載の電源装置（図６）。
【００１７】
（９）前記電力出力手段の出力電圧を、定着装置の誘導加熱コイルに出力する；上記（８）に記載の電源装置（図８）。
【００１８】
（１０）電気回路(4)は更に、電力出力手段(10)の出力電流を検出する電流検出手段(15)，出力周波数を検出する周波数検出手段(14)、および、第１電気信号を目標値とし前記電流検出手段(15)が検出した出力電流をフィードバック値として電力出力手段(10)の出力電流をフィードバック制御するとともに、第２電気信号を目標値とし前記周波数検出手段(14)が検出した出力周波数をフィードバック値として電力出力手段(10)の出力周波数をフィードバック制御する、駆動手段(13)、を含む；上記（１）に記載の電源装置（図７）。
【００１９】
（１１）前記指示手段(2)は、ＰＷＭタイマ（３）、および、第１指示値を表わすデューティおよび第２指示値を表わす周波数のＰＷＭ信号の高レベル出力時間(Th)および低レベル出力時間(Tr)を算出し、該高レベル出力時間(Th)および低レベル出力時間(Tr)を前記ＰＷＭタイマ(3)に交互に設定する手段(2)、を含む；上記（１）乃至（１０）のいずれか１つに記載の電源装置。
【００２０】
（１２）上記（１）乃至（８）および（１０）のいずれか１つに記載の電源装置；および、該電源装置の出力が印加される帯電器(204)；を備える画像形成装置。
【００２１】
本発明の他の目的および特徴は、図面を参照した以下の実施例の説明より明らかになろう。
【実施例１】
【００２２】
図１に、本発明の一実施例の複合機能フルカラーデジタル複写機ＭＦ１の外観を示す。このフルカラー複写機は、大略で、自動原稿送り装置（ＡＤＦ）１２０と、操作ボード２０と、カラースキャナ１００と、カラープリンタ２００と、給紙バンク３５の各ユニットで構成されている。機内の画像データ処理装置には、パソコンＰＣが接続したＬＡＮ（Local Area Network）が接続されている。また、機内のファクシミリコントローラは、交換機ＰＢＸおよび公衆通信網ＰＮを介して、ファクシミリ通信をすることが出来る。
【００２３】
プリンタ２００には、転写ユニットがあり、該転写ユニットには、無端ベルトである転写ベルト２０８がある。転写ベルト２０８は、３つの支持ローラと１つのテンションローラに掛け廻されており、反時計廻りに回動駆動される。テンションローラの近くに、画像転写後に転写ベルト２０８上に残留する残留トナーを除去する転写体クリーニングユニットがある。
【００２４】
１つの支持ローラともう１つの支持ローラとの間の転写ベルト２０８には、その移動方向に沿って、Ｂｋ，Ｙ，Ｍ，Ｃ各色作像用の作像ユニットが装備され、これらの中にある各感光体ドラムに、転写ベルト２０８を挟んで対向して、転写ローラ２０５がある。前記作像装置の上方には、各色感光体ユニットの各感光体ドラムに画像形成のためのレーザ光を照射するレーザ露光ユニット２０３がある。感光体ドラムを、帯電ローラ２０４が均一に帯電し、帯電面をレーザ露光ユニット２０３が画像信号で変調したレーザを投射する。これによって生じた静電潜像を、現像器が現像してトナー像とする。このトナー像が転写ベルト２０８に転写される。
【００２５】
転写ベルト２０８の下方には、搬送ベルト２１３がある。搬送ベルト２１３は、転写ベルト２０８上のトナー像を、用紙上に転写する。トナー像を転写した用紙（転写紙）は、搬送ベルト２１３で定着ユニット２１４に送り出される。搬送ベルト２１３および定着ユニット２１４の下方に、表面に画像を形成した直後の用紙を、裏面にも画像を記録するために表裏を反転して送り出すシート反転ユニットである両面ドライブユニットがある。
【００２６】
スタートスイッチが押されると、原稿自動搬送装置（ＡＤＦ）１２０に原稿があるときは、それをスキャナ１００のコンタクトガラス上に搬送してから、ＡＤＦ１２０に原稿が無いときにはコンタクトガラス上に手置きの原稿を読むために直ちに、スキャナ１００を駆動し、スキャナ１００内の第１キャリッジおよび第２キャリッジを、読み取り走査駆動する。そして、第１キャリッジ上の光源からコンタクトガラスに光を発射するとともに原稿面からの反射光を第１キャリッジ上の第１ミラーで反射して第２キャリッジに向け、第２キャリッジ上のミラーで反射して結像レンズを通して読取りセンサであるＣＣＤに結像する。読取りセンサで得た画像信号に基づいてＢｋ，Ｙ，Ｍ，Ｃ各色記録データが生成される。
【００２７】
また、スタートスイッチが押されたときに、転写ベルト２０８の回動駆動が開始されるとともに、前記作像装置の各ユニットの作像準備が開始され、そして各色作像の作像シーケンスが開始されて、各色用の感光体ドラムに各色記録データに基づいて変調された露光レーザが投射され、各色作像プロセスにより、各色トナー像が転写ベルト２０８上に一枚の画像として、重ね転写される。このトナー画像の先端が搬送ベルト２１３に進入するときに同時に先端が搬送ベルト２１３に進入するようにタイミングをはかって用紙がレジストローラ対２１２から転写ベルト２１３に送り込まれ、これにより転写ベルト２０８上のトナー像が用紙に転写する。転写ベルト２０８には、転写ローラ２０５によって、トナーを転写する電圧が印加される。トナー像が移った用紙は定着ユニット２１４に送り込まれ、そこでトナー像が用紙に定着する。
【００２８】
なお、上述の用紙は、給紙バンク３５の給紙トレイ（給紙段又はカセットとも言う）２０９〜２１１の直近上方の給紙ローラの１つを選択回転駆動し、給紙バンク３５に多段に備える給紙トレイ２０９〜２１１の１つからシートを繰り出し、分離ローラで１枚だけ分離して、縦配列の搬送コロユニットに入れ、上方に搬送してプリンタ２００内の搬送コロユニットに導き、搬送コロユニットのレジストローラ対２１２に突き当てて止めてから、前述のタイミングで搬送ベルト２１３に送り出されるものである。右側端の手差しトレイ上に用紙を差し込んで給紙することもできる。ユーザが手差しトレイ上に用紙を差し込んでいるときには、プリンタ２００が手差しトレイ部の給紙ローラを回転駆動して手差しトレイ上のシートの一枚を分離して手差し給紙路に引き込み、同じくレジストローラ対２１２に突き当てて止める。
【００２９】
定着ユニット２１４で定着処理を受けて排出される用紙は、切換爪で排出ローラに案内して図示を省略した排紙トレイ上にスタックする。または、切換爪で両面ドライブユニットに案内して、そこで反転して再び転写位置へと導き、裏面にも画像を記録して後、排出ローラで排紙トレイ上に排出する。一方、画像転写後の転写ベルト２０８上に残留する残留トナーは、図示を省略した転写体クリーニングユニットで除去し、再度の画像形成に備える。
【００３０】
図２に、帯電器２０４に給電する電源装置の概要を示す。この電源装置は、マイコン２のタイマを利用して、ＰＷＭ信号を生成する。高圧電源側では、ＰＷＭ信号の周波数を変換する周波数変換回路７と、Dutyを電圧に変換する積分回路５がある。そして、ＰＷＭ周波数の変化や、ＰＷＭのDutyの変化に応じて、高圧電源の出力を可変して制御を行う。周波数変換回路７は、初段のフリップフロップ８でDutyを５０％に変換して、後段の分周カウンタ９でＰＷＭ信号を分周することにより、ＰＷＭ周波数から高圧電源の交流出力の周波数を生成している。分周比をあらかじめ設定しておけば、ＰＷＭの周波数を分周比分倍にすることで任意の周波数で交流出力を発生することが可能となる。
【００３１】
図３に、マイコン２のプログラムタイマ３によるＰＷＭ出力制御の概要を示す。高圧回路４から交流電圧（脈動電圧を含む）を重畳した帯電電圧を出力するとき、マイコン２は、ＤＣ／ＤＣコンバータ６の、直流電圧目標値をＰＷＭデューティＤｒに変換する（ステップ１）。以下では、括弧内にはステップという語を省略してステップＮｏ．数字のみを記す。
【００３２】
次にマイコン２は、交流昇圧回路１０の出力交流の周波数目標値をＰＷＭ周期Ｔｃに変換して（２）、変換したデューティＤｒと周期Ｔｃで規定されるＰＷＭ信号（ＰＷＭパルス）の高レベルＨ出力時間Ｔｈおよび低レベルＬ出力時間Ｔｒを算出する（３ａ，３ｂ）。Ｔｈ＋Ｔｒ＝Ｔｃ、Ｔｈ／Ｔｃ＝Ｄｒである。次にマイコン２は、プログラムタイマ３に時限値Ｔｈを設定して該時限値Ｔｈからクロックパルスのカウントダウンを開始して（５）、ＰＷＭ出力すなわちＰＷＭ信号をＨとし（６）、高圧出力開始済であることを示す「Ｈ」を、マイコン２内部のＲＡＭの1領域に割り付けたレジスタＦＴＲに書込む（７）。そして、プログラムタイマ３がタイムオーバするのを待つ（８）。すなわち、時間Ｔｈが経過するのを待つ。タイムオーバするとＰＷＭ信号をＬに変更し（９）、プログラムタイマ３に時限値Ｔｒを設定して該時限値Ｔｒからクロックパルスのカウントダウンを開始して（１０）、現時点の直流電圧目標値および周波数目標値をデューティＤｒおよび周期Ｔｃに変換して（１，２）、Ｈ出力時間ＴｈおよびＬ出力時間Ｔｒを算出して、このときは先のＴｒの計時中であるので、この計時が完了するのを待って（４，１３）、完了すると、プログラムタイマ３に時限値Ｔｈを設定して該時限値Ｔｈからクロックパルスのカウントダウンを開始して（５）、ＰＷＭ出力すなわちＰＷＭ信号をＨとする（６）。以下この時限値Ｔｈ，Ｔｒの切り換えと、ＰＷＭ信号のＨ，Ｌの切り換えを繰り返す。出力停止タイミングになると、ＰＷＭ信号がＬのときにレジスタＦＴＲをクリアして（１０，１１，１２）、ＰＷＭ出力制御を停止する。
【実施例２】
【００３３】
図４に本発明の第２実施例の高圧回路４の構成を示す。この高圧回路４は、高圧電源の直流出力の電圧をＰＷＭのDutyで可変制御し、交流出力の周波数をＰＷＭの周波数で制御を行う。高圧回路４には更に、ＤＣ／ＤＣコンバータ６の出力電圧を検出する電圧検出回路１２、および、積分回路５の出力電圧を目標値とし電圧検出回路１２が検出した出力電圧をフィードバック値としてＤＣ／ＤＣコンバータ６の出力電圧をフィードバック制御する直流駆動回路１１ａがある。更に、交流昇圧回路１０の出力周波数を検出する周波数検出回路１４、および、周波数変換回路７の出力周波数を目標値とし周波数検出回路１４が検出した出力周波数をフィードバック値として交流昇圧回路１０の出力周波数をフィードバック制御する交流駆動回路１３ａがある。その他の構成は第１実施例と同様である。
【実施例３】
【００３４】
図５に本発明の第３実施例の高圧回路４の構成を示す。この高圧回路４は、高圧電源の直流出力の電流をＰＷＭのDutyで可変制御し、交流出力の周波数をＰＷＭの周波数で制御を行う。高圧回路４には、ＤＣ／ＤＣコンバータ６の出力電流を検出する電流検出回路１５、および、積分回路５の出力電圧を目標値とし電流検出回路１５が検出した出力電流をフィードバック値としてＤＣ／ＤＣコンバータ６の出力電流をフィードバック制御する直流駆動回路１１ｂがある。また第２実施例と同様に、交流昇圧回路１０の出力周波数を検出する周波数検出回路１４、および、周波数変換回路７の出力周波数を目標値とし周波数検出回路１４が検出した出力周波数をフィードバック値として交流昇圧回路１０の出力周波数をフィードバック制御する交流駆動回路１３ａがある。その他の構成は第１実施例と同様である。なお、第３実施例のマイコン２は、ＤＣ／ＤＣコンバータ６の出力電流目標値に対応するＰＷＭ信号デューティＤｒを算出する。
【実施例４】
【００３５】
図６に本発明の第４実施例の高圧回路４の構成を示す。この高圧回路４は、高圧電源の交流出力の電圧をＰＷＭのDutyで可変制御し、交流出力の周波数をＰＷＭの周波数で制御を行う。高圧回路４には、交流昇圧回路１０の出力電圧を検出する電圧検出回路１２，交流昇圧回路１０の出力周波数を検出する周波数検出回路１４、および、積分回路５の出力電圧を目標値とし電圧検出回路１２が検出した出力電圧をフィードバック値として交流昇圧回路１０の出力電圧をフィードバック制御するとともに、周波数変換回路７の出力周波数を目標値とし周波数検出回路１４が検出した出力周波数をフィードバック値として交流昇圧回路１０の出力周波数をフィードバック制御する交流駆動回路１３ｂがある。その他の構成は第１実施例と同様である。
【実施例５】
【００３６】
図７に本発明の第５実施例の高圧回路４の構成を示す。この高圧回路４は、高圧電源の交流出力の電流をＰＷＭのDutyで可変制御し、交流出力の周波数をＰＷＭの周波数で制御を行う。高圧回路４には、交流昇圧回路１０の出力電流を検出する電流検出回路１５，交流昇圧回路１０の出力周波数を検出する周波数検出回路１４、および、積分回路５の出力電圧を目標値とし電圧検出回路１２が検出した出力電流をフィードバック値として交流昇圧回路１０の出力電流をフィードバック制御するとともに、周波数変換回路７の出力周波数を目標値とし周波数検出回路１４が検出した出力周波数をフィードバック値として交流昇圧回路１０の出力周波数をフィードバック制御する交流駆動回路１３ｂがある。その他の構成は第１実施例と同様である。
【００３７】
図８は、図６に示す高圧回路４と同一構成の高圧回路４ではあるが、定着器２１４の誘導加熱コイルに給電するものである。
【図面の簡単な説明】
【００３８】
【図１】本発明の第１実施例の電源装置を装備した複合機能フルカラー複写機の縦断面図である。
【図２】図１に示す転写器２０４に給電する第１実施例の電源装置の構成を示すブロック図である。
【図３】図２に示すマイコン２の、電源出力電圧および周波数を設定する、プログラムタイマ制御のフローチャートである。
【図４】本発明の第２実施例の電源装置の電源回路４の構成を示すブロック図である。
【図５】本発明の第３実施例の電源装置の電源回路４の構成を示すブロック図である。
【図６】本発明の第４実施例の電源装置の電源回路４の構成を示すブロック図である。
【図７】本発明の第５実施例の電源装置の電源回路４の構成を示すブロック図である。
【図８】定着器２１４の誘導加熱コイルに給電する、図６に示す高圧回路４と同一構成の高圧回路４を示す。
【符号の説明】
【００３９】
２０：操作ボード
１００：カラー原稿スキャナ
１２０：自動原稿供給装置
２００：カラープリンタ
ＰＣ：パソコン
ＰＢＸ：交換器
ＰＮ：通信回線
２０３：光書込みユニット
２０４：帯電ローラ
２０５：転写ローラ
２０８：転写ベルト
２０９〜２１１：給紙トレイ
２１２：レジストローラ対
２１３：搬送ベルト
２１４：定着ユニット
【図１】
2006252386.tif 000003
【図２】
2006252386.tif 000004
【図３】
2006252386.tif 000005
【図４】
2006252386.tif 000006
【図５】
2006252386.tif 000007
【図６】
2006252386.tif 000008
【図７】
2006252386.tif 000009
【図８】
2006252386.tif 000010